(57)【要約】【課題】卓上電子計算機のメモリ機能を分かりやすくし、卓上電子計算機をより使いやすくする為に、一回の操作で合計表示をする機能キーを搭載した卓上電子計算機を提供する。【解決手段】本体（１）には表示部（９）、入力部（１１）、制御部（１０）を設け、表示部（９）には、制御部（１０）からの表示命令を実行する液晶表示器（２）を設け、入力部（１１）には、制御部（１０）へ、データを入力するために、演算入力キー（６）と数字入力キー（７）、機能入力キー（８）を設け、入力する事により演算計算処理、メモリに演算結果を加算、メモリの内容を表示する合計プラスキー（３）を設け、入力する事により、演算計算処理、メモリから演算結果を減算、メモリの内容を表示する合計マイナスキー（４）を設け、メモリの内容をゼロにする合計クリアキー（５）を設け、制御部（１０）には、データを制御するために、コントローラー（１４）とプログラムメモリー（１５）とデータメモリー（１２）と演算器（１３）を設けたことを特徴とする。【選択図】  図１
2004171507.tif 000002
【特許請求の範囲】
【請求項１】
本体（１）に表示部（９）、入力部（１１）、制御部（１０）を設け、表示部（９）には、制御部（１０）からの表示命令を実行する液晶表示器（２）を設け、入力部（１１）には、制御部（１０）へ、データを入力するために、演算入力キー（６）と数字入力キー（７）と機能入力キー（８）を設け、入力する事により演算計算処理、メモリに演算結果を加算、メモリの内容を表示する合計プラスキー（３）を設け、入力する事により、演算計算処理、メモリから演算結果を減算、メモリの内容を表示する合計マイナスキー（４）を設け、メモリの内容をゼロにする合計クリアキー（５）を設け、制御部（１０）には、データを制御するために、コントローラー（１４）とプログラムメモリー（１５）とデータメモリー（１２）と演算器（１３）を設けた一回の操作で合計表示をする機能キーを搭載した卓上電子計算機。
【発明の詳細な説明】
【０００１】
【発明の属する技術分野】
この発明は、卓上電子計算機のメモリ機能を分かりやすくし、卓上電子計算機をより使いやすくする為に、一回の操作で合計表示をする機能キーを搭載した卓上電子計算機に関するものである。
【０００２】
【従来の技術】
従来よりの卓上電子計算機のメモリ機能の操作に使用されるキーは４種類ある。
１つ目は「Ｍ＋」キーである。
このキーを押すと、卓上電子計算機は、演算中であれば、つまり、命令レジスタに命令コマンドがあれば、演算計算処理を行い、メモリにその演算結果を加算して、演算結果を表示器に表示する。
又、演算中でなくても、つまり、命令レジスタに命令コマンドがなければ、表示中の、つまり、表示レジスタにある、数字をメモリに加算して、表示の変化はない。
実際は演算処理の中で、命令コマンドの有無を確認しているので、演算中であっても、演算中でなくても、演算計算処理をしたといえる。
つまり、どちらの場合でも、演算計算処理をして、その結果を表示しているといえるのである。
以下、どちらも演算計算処理と統一して述べる事とする。
２つ目は「Ｍ−」キーである。
このキーを押すと、卓上計算機は、演算計算処理を行い、メモリからその演算結果を減算して、演算結果を表示する。
３つ目は「ＭＲ」キーである。
このキーを押すと、メモリに格納されている数字を表示する。
最後の４つ目は「ＭＣ」ＳＷである。
このＳＷを押すと、メモリに格納されている数字は強制的に初期状態つまり、ゼロ、になる。卓上電子計算機によっては、「ＭＲ」キーと「ＭＣ」キーが１つの「ＭＲＣ」というキーになっているものもある。
このキーは、１回押すと、メモリに格納されている数字を表示する。
そして、２回押すと、メモリに格納されている数字は強制的に初期状態、つまり、ゼロになる。
従来には、複雑な計算を簡単かつ確実に処理できるようにする場合に、複合式卓上電子計算機が使用されている。（例えば、特許文献１参照）
また、演算の途中でも、記憶部の記憶データを見ることができるようにする場合に、記憶部表示用の表示器を別に設けた電子式卓上計算機が使用されている。（例えば、特許文献２参照）
【０００３】
【特許文献１】
特開２０００−２６８００１号公報
【特許文献２】
実開平６−８１０４１号公報
【０００４】
【発明が解決しようとする課題】
これには、次のような欠点があった。
イ．  メモリに格納されている数字を表示してくれるのは、「ＭＲ」キーを押した時だけである。
ユーザーにとってこれは、問題である。
計算機というのは入力の間違いが多い、最後しか、計算結果が確認できないという事は、その結果が間違っている可能性が低いとはいえない。
例えば、前の計算のメモリが残っていたため、つまり、「ＭＣ」キーを押さなかったために、前の計算のメモリに格納されていた数値に合計してしまっていたり、途中の計算結果が違っていたのに気付かないで、そのまま計算したために合計が間違っていたりする。
こうなると、「このメモリ機能は、信用できない」という事になる。
ロ．  途中で計算結果を確認する事は「ＭＲ」キーを都度押す事で、可能であるが、この操作では計算効率は悪くなってしまう。
ハ．  「Ｍ＋」キーと「Ｍ−」キーを押した時と「＝」キーを押した時に表示が同じ事が問題である。
メモリに数字が格納されていない状態から、メモリに数字が格納されたタイミングで画面に「Ｍ」という表示が現れるという違いはあるが、その他は、画面の表示が同じなのである。
これでは、本当にメモリに数字が格納されたのか、又は、自分が本当に「Ｍ＋」キー又は「Ｍ−」キーを押したのか、疑わしくなってしまう。
また、単に数字を、メモリに加算又は減算したい時には、画面の表示が全く変化しないため、なおさら疑わしくなってしまい、「このメモリ機能は信用できない」という事になってしまうのである。
この事が、卓上電子計算機のメモリ機能を分かりにくくし，卓上電子計算機のメモリ機能の使い方を難しくしているため、卓上電子計算機のメモリ機能の使い方を知らない人や利用しない人が多いのである。
本発明は、これらの欠点を解決するために発明されたものである。
【０００５】
【課題を解決するための手段】
本体（１）に表示部（９）、入力部（１１）、制御部（１０）を設ける。
表示部（９）には、制御部（１０）からの表示命令を実行する液晶表示器（２）を設ける。
そして、入力部（１１）には、制御部（１０）へ、データを入力するために、演算入力キー（６）と数字入力キー（７）と機能入力キー（８）を設ける。
そして、入力する事により演算計算処理、メモリに演算結果を加算、メモリの内容を表示する合計プラスキー（３）を設ける。
そして、入力する事により、演算計算処理、メモリから演算結果を減算、メモリの内容を表示する合計マイナスキー（４）を設ける。
そして、メモリの内容をゼロにする合計クリアキー（５）を設ける。
そして、制御部（１０）には、データを制御するために、コントローラー（１４）とプログラムメモリー（１５）とデータメモリー（１２）と演算器（１３）を設ける。
本発明は、以上の構成よりなる一回の操作で合計表示をする機能キーを搭載した卓上電子計算機である。
【０００６】
【発明の実施の形態】
以下、本発明の実施の形態を説明する。
（イ）．本体（１）の表面に表示部（９）、入力部（１１）を設け、制御部（１０）は本体（１）内部に設ける。
（ロ）．表示部（９）には、制御部（１０）からの表示命令を実行するための液晶表示器（２）を設ける。
（ハ）．入力部（１１）には、制御部（１０）へ、データを入力するための、演算入力キー（６）と数字入力キー（７）と機能入力キー（８）を設ける。
それぞれのキーの機能は従来の卓上電子計算機と同じである。
（ニ）．入力する事により、プログラムメモリー（１５）から、演算計算処理、メモリに演算結果を加算、メモリの内容を表示する、という命令を呼び出す合計プラスキー（３）を設ける。
（ホ）．入力する事により、プログラムメモリー（１５）から、演算計算処理、メモリから演算結果を減算、メモリの内容を表示する、という命令を呼び出す合計マイナスキー（４）を設ける。
（ヘ）．メモリの内容をゼロにする合計クリアキー（５）を設ける。
（ト）．制御部（１０）は、データを制御するために、コントローラー（１４）とプログラムメモリー（１５）とデータメモリー（１２）と演算器（１３）を設ける。
（テ）．制御部（１０）には、コントローラー及び各素子を動作させるために必要な電源、基準クロック発振器、入力回路、液晶ドライバを設ける。
本発明は以上の構成になっている。
本発明を使用するときは、メモリに加算したいタイミングで、合計プラスキー（３）を押し、メモリから減算したいタイミングで、合計マイナスキー（４）を押すと、その合計結果が都度、表示される。
また、表示された数字をキー操作なしに、そのまま演算に使用する事もできる。
メモリをクリアしたければ、合計クリアキー（５）を押せばよい。
演算結果を確認してから、メモリに合計したい場合は、演算入力キー（６）の「＝」を押して、演算結果を確認してから、合計プラスキー（３）又は合計マイナスキー（４）を押せばよい。
そうする事で、確実に安心して計算ができる。
【０００７】
【発明の効果】
本発明を使用する事によって、途中の計算結果が表示されるので、合計計算の間違いが減り、計算の効率も上がり、「このメモリ機能は信用できる」という事になる。
又、卓上電子計算機のメモリ機能が分かりやすくなり、卓上電子計算機のメモリ機能の使い方が簡単になるために、卓上電子計算機のメモリ機能の使い方が分かる人も利用する人も増える。
又、従来の卓上電子計算機とほぼ同一の機能と外形で実現している。
そのため、従来の卓上電子計算機の生産ラインがあれば、開発コスト、生産コストもある程度抑えられ、生産ラインの変更も軽微である。
【図面の簡単な説明】
【図１】本発明の正面図
【図２】本発明のデータ制御のブロック図
【図３】本発明の合計プラスキー（３）入力時の動作フローチャート
【図４】本発明の合計マイナスキー（４）入力時の動作フローチャート
【図５】本発明の合計クリアキー（５）入力時の動作フローチャート
【符号の説明】
１  本体
２  液晶表示器
３  合計プラスキー
４  合計マイナスキー
５  合計クリアキー
６  演算入力キー
７  数字入力キー
８  機能入力キー
９  表示部
１０  制御部
１１  入力部
１２  データメモリー
１３  演算器
１４  コントローラー
１５  プログラムメモリー
【図１】
2004171507.tif 000003
【図２】
2004171507.tif 000004
【図３】
2004171507.tif 000005
【図４】
2004171507.tif 000006
【図５】
2004171507.tif 000007